(57)【要約】【課題】前ガードを利用して乳母車の商品価値を高めるように工夫する。【解決手段】乳母車の前ガードのカバー部材１０は、全体が上方領域Ａと下方領域Ｂとからなり、上方領域Ａを前ガードに巻き付けた状態で下方領域Ｂが前ガードから垂れ下がる長さを有している。カバー部材１０は、小物を入れるポケット１２，１４と、上方領域Ａを前ガードに巻き付けた状態で固定する第１の雌雄ボタン２６，２８と、下方領域Ｂを上方領域Ａ上に重ねて巻き付けた状態を固定する第２の雌雄ボタン２６，３０とを備える。【選択図】図２
2008195216.tif 000002
【特許請求の範囲】
【請求項１】
乳母車の座席の両側に配置される一対の手摺の前方端間を連結するように延びる前ガードに巻き付けられるカバー部材であって、
全体が上方領域と下方領域とからなり、上方領域を前記前ガードに巻き付けた状態で下方領域が前ガードから垂れ下がる長さを有し、
小物を入れるためのポケットと、前記上方領域の巻き付け状態を固定する第１の固定手段と、前記下方領域を前記上方領域上に重ねて巻き付けた状態を固定する第２の固定手段とを備える、乳母車の前ガードのカバー部材。
【請求項２】
前記ポケットは、前記カバー部材の外面に設けられた幅方向に延びるスリットと、このスリットを開口としてカバー部材の内面に配置された袋とを有する、請求項１に記載の乳母車の前ガードのカバー部材。
【請求項３】
前記ポケットの内面に面ファスナーが取付けられており、
前記ポケット内に、前記面ファスナーに離脱可能に接続された吊り下げ飾りを有する、請求項１または２に記載の乳母車の前ガードのカバー部材。
【請求項４】
前記第１および第２の固定手段は、それぞれ、雌雄の留めボタンである、請求項１〜３のいずれかに記載の乳母車の前ガードのカバー部材。
【請求項５】
乳母車の座席の両側に配置される一対の手摺と、
前記一対の手摺の前方端間を連結するように延びる前ガードと、
前記前ガードに巻き付けられるカバー部材とを備え、
前記カバー部材は、全体が上方領域と下方領域とからなり、上方領域を前記前ガードに巻き付けた状態で下方領域が前ガードから垂れ下がる長さを有し、
前記カバー部材は、小物を入れるためのポケットと、前記上方領域の巻き付け状態を固定する第１の固定手段と、前記下方領域を前記上方領域上に重ねて巻き付けた状態を固定する第２の固定手段とを備える、乳母車。
【発明の詳細な説明】
【技術分野】
【０００１】
この発明は、前ガードを有する乳母車に関し、特にこの前ガードを利用して商品価値を高めるように工夫した乳母車に関するものである。
【背景技術】
【０００２】
乳母車の座席の前方に位置する前ガードを有する乳母車は、例えば特開平８−１２０５０８号公報（特許文献１）や特開平９−２０２２４１号公報（特許文献２）に開示されている。
【０００３】
前ガードは、乳母車の座席の両側に配置される一対の手摺の前方端間を連結するように延びている。乳母車に乗せられる乳幼児が小さいときには、前ガードが子供の胴回りを保護する。前ガードは、通常、手摺に対して着脱可能に設けられていて、乳幼児が成長して大きくなったときには、手摺から取り外せるように構成されている。
【特許文献１】特開平８−１２０５０８号公報
【特許文献２】特開平９−２０２２４１号公報
【発明の開示】
【発明が解決しようとする課題】
【０００４】
この発明の目的は、前ガードを利用して乳母車の商品価値を高めるように工夫することである。
【０００５】
この発明の他の目的は、前ガードに巻き付けられて乳母車の商品価値を高めるカバー部材を提供することである。
【課題を解決するための手段】
【０００６】
この発明に従ったカバー部材は、乳母車の座席の両側に配置される一対の手摺の前方端間を連結するように延びる前ガードに巻き付けられるものであって、全体が上方領域と下方領域とからなり、上方領域を前ガードに巻き付けた状態で下方領域が前ガードから垂れ下がる長さを有している。このカバー部材は、小物を入れるためのポケットと、上方領域の巻き付け状態を固定する第１の固定手段と、下方領域を上方領域上に重ねて巻き付けた状態を固定する第２の固定手段とを備える。
【０００７】
上記構成のカバー部材によれば、上方領域のみを前ガードに巻き付け、前ガードの下方空間を遮蔽するように下方領域を前ガードから垂れ下がるようにすることができるので、座席内の乳幼児に対する防寒、防風、防塵に寄与できる。また、前ガードからの垂れ下がりが不要なときには、下方領域を上方領域上に重ねて巻きつけることができるので、その存在が邪魔になることは無い。
【０００８】
さらに、ポケットを有しているので、その中に乳幼児を喜ばすための飾り物やおもちゃ等の小物を収容させておき、適宜その小物を取り出して使用することができる。
【０００９】
一つの実施形態では、ポケットは、カバー部材の外面に設けられた幅方向に延びるスリットと、このスリットを開口としてカバー部材の内面に配置された袋とを有する。
【００１０】
好ましくは、ポケットの内面に面ファスナーが取付けられており、ポケット内に、面ファスナーに離脱可能に接続された吊り下げ飾りを有する。
【００１１】
一つの実施形態では、第１および第２の固定手段は、それぞれ、雌雄の留めボタンである。
【００１２】
この発明に従った乳母車は、座席の両側に配置される一対の手摺と、一対の手摺の前方端間を連結するように延びる前ガードと、前ガードに巻き付けられるカバー部材とを備える。カバー部材は、全体が上方領域と下方領域とからなり、上方領域を前ガードに巻き付けた状態で下方領域が前ガードから垂れ下がる長さを有している。カバー部材は、小物を入れるためのポケットと、上方領域の巻き付け状態を固定する第１の固定手段と、下方領域を上方領域上に重ねて巻き付けた状態を固定する第２の固定手段とを備える。
【００１３】
上記構成の乳母車によれば、カバー部材を備えることによりその商品価値が高まる。
【発明を実施するための最良の形態】
【００１４】
図７は、この発明の一実施形態の乳母車を示している。図示する乳母車１は、座席の両側に配置される一対の手摺２と、一対の手摺２の前方端間を連結するように幅方向に延びる前ガード３と、前ガード３に巻き付けられるカバー部材１０と、一対の手摺２の後方端から上方に延びている逆Ｕ字形状の押棒４と、座席の上部空間を覆う幌５とを備えている。
【００１５】
図１および図２はカバー部材１０を示し、図３および図４は、カバー部材１０が前ガード３に取付けられている状態を示している。
【００１６】
カバー部材１０は、全体が上方領域Ａと、下方領域Ｂとからなる長方形形状を有している。図３は、上方領域Ａを前ガード３に巻き付けた状態で下方領域Ｂが前ガード３から垂れ下がっている状態を示し、図４は、下方領域Ｂを上方領域Ａ上に重ねて巻き付けた状態を示している。カバー部材１０の材質は、例えば布製である。
【００１７】
図３に示すように、前ガード３の下方空間を遮蔽するように下方領域Ｂを前ガード３から垂れ下がるようにすれば、座席内の乳幼児に対する防寒、防風、防塵に寄与できる。また、前ガード３からの垂れ下がりが不要なときには、下方領域Ｂを上方領域Ａ上に重ねて巻きつけることができるので、その存在が邪魔になることは無い。
【００１８】
図２に示すように、カバー部材１０は、小物を入れるためのポケットを有している。ポケットの形態はどのようなものであってもよいが、図示した実施形態のポケットは、カバー部材１０の外面に設けられた幅方向に延びるスリット１２と、このスリット１２を開口としてカバー部材１０の内面に配置された袋１４とを備える。袋１４内には、例えば乳幼児を喜ばすためのおもちゃや飾り、あるいは母親等が使用するハンカチやガーゼ等の小物が入れられている。
【００１９】
図示した実施形態では、ポケットの内面、すなわち袋１４の内面には、幅方向に延びる帯状の面ファスナー１６が取付けられている。そして、袋１４内には、面ファスナー１６に離脱可能に接続された吊り下げ飾り１８、２２が収容されている。一方の吊り下げ飾り１８は星形吊り下げ飾りであり、紐１９と、面ファスナー１６に接着する面ファスナー２０とを備える。他方の吊り下げ飾り２２は錨形吊り下げ飾りであり、紐２３と、面ファスナー１６に接着する面ファスナー２４とを備える。
【００２０】
カバー部材１０は、図３に示す上方領域の巻き付け状態を固定する第１の固定手段と、図４に示すように下方領域Ｂを上方領域Ａ上に重ねて巻き付けた状態を固定する第２の固定手段とを備える。第１および第２固定手段としては、特定のものに限られず、ボタン、面ファスナー、紐等を採用することができる。図示した実施形態では、第１および第２の固定手段は、それぞれ、雌雄の留めボタンで構成されている。
【００２１】
具体的には、カバー部材１０のほぼ中央部分の両側部の表面および裏面には、雄ボタン２６が取付けられている。カバー部材１０の上方端部分の両側部の表面には、雌ボタン２８が取付けられている。カバー部材１０の下方端部分の両側部の裏面には、雌ボタン３０が取付けられている。雄ボタン２６および雌ボタン２８は第１の固定手段を構成し、それらを係合させることにより上方領域Ａの巻き付け状態を固定できる。雄ボタン２６および雌ボタン３０は第２の固定手段を構成し、それらを係合させることにより下方領域の巻き付け状態を固定できる。
【００２２】
図５は、カバー部材１０を前ガード３から取り外して、乳母車１の押棒４の中央部分に巻き付けている状態を示している。図５に示す状態では、星形吊り下げ飾り１８が、面ファスナー１６との接続状態を保ったままでスリット１２から外に取り出されている。
【００２３】
図６は、ポケットから取り出した錨形吊り下げ飾り２２を幌５の前方端に接続して吊り下げている状態を示している。
【００２４】
以上のように、この発明によれば、工夫を凝らしたカバー部材を備えることにより、乳母車の商品価値を高めることができる。
【００２５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２６】
この発明は、前ガードを備える乳母車に有利に適用され得る。
【図面の簡単な説明】
【００２７】
【図１】本発明の一実施形態であるカバー部材を示す斜視図である。
【図２】カバー部材の正面図である。
【図３】カバー部材の上方領域を前ガードに巻き付けた状態を示す図解的断面図である。
【図４】カバー部材の下方領域を前ガードに巻き付けた状態を示す図解的断面図である。
【図５】カバー部材を押棒に取付けた状態を示す斜視図である。
【図６】錨形吊り下げ飾りを幌に取付けた状態の斜視図である。
【図７】この発明の一実施形態である乳母車を示す斜視図である。
【符号の説明】
【００２８】
１  乳母車、２  手摺、３  前ガード、１０  カバー部材、１２  スリット、１４  袋、１６  面ファスナー、１８  星形吊り下げ飾り、１９  紐、２０  面ファスナー、２２  錨形吊り下げ飾り、２３  紐、２４  面ファスナー、２６  雄ボタン、２８  雌ボタン、３０  雌ボタン。
【図１】
2008195216.tif 000003
【図２】
2008195216.tif 000004
【図３】
2008195216.tif 000005
【図４】
2008195216.tif 000006
【図５】
2008195216.tif 000007
【図６】
2008195216.tif 000008
【図７】
2008195216.tif 000009